(57)【要約】【課題】部品を増やすことなく音色が変わるサクソフォンを提供する。【解決手段】マウスピース２が上流側端部に取付けられた吹込管３と、吹込管３の下流側端部が上流側端部に嵌入した２番管４と、２番管４の上流側端部の外周部で吹込管３の下流側端部を緊縛する緊縛構造４１とを備える。緊縛構造４１は、２番管４の材料とは異なる材料によって形成されたねじ部材４５を有している。ねじ部材４５を締め込むことにより吹込管３の下流側端部が緊縛される。【選択図】  図１
2020064178.tif 000002
【特許請求の範囲】
【請求項１】
マウスピースが上流側端部に取付けられた吹込管と、
前記吹込管の下流側端部が上流側端部に嵌入した２番管と、
前記２番管の前記上流側端部の外周部で前記吹込管の前記下流側端部を緊縛する緊縛構造とを備え、
前記緊縛構造は、前記２番管の材料とは異なる材料によって形成されたねじ部材を有し、前記ねじ部材を締め込むことにより前記吹込管の前記下流側端部が緊縛される構成が採られていることを特徴とするサクソフォン。
【請求項２】
請求項１記載のサクソフォンにおいて、
前記ねじ部材は、前記２番管の材料より硬度が高い材料によって形成されていることを特徴とするサクソフォン。
【請求項３】
請求項１または請求項２記載のサクソフォンにおいて、
前記ねじ部材は、雄ねじ部と、前記雄ねじ部の基端に一体に形成された摘み部とからなり、
前記摘み部は、円柱状に形成され、外周部に滑り止めが設けられていることを特徴とするサクソフォン。
【請求項４】
請求項１ないし請求項３のうちいずれか一つに記載のサクソフォンにおいて、
前記ねじ部材を形成する材料はステンレス鋼であることを特徴とするサクソフォン。
【請求項５】
請求項３または請求項４記載のサクソフォンにおいて、
前記摘み部にはねじ孔が形成され、
前記ねじ孔には調整用ねじが螺着されていることを特徴とするサクソフォン。
【発明の詳細な説明】
【技術分野】
【０００１】
本発明は、音色を変える部品を備えたサクソフォンに関する。
【背景技術】
【０００２】
音色を変える部品を備えた従来のサクソフォンとしては、例えば特許文献１に記載されているものがある。特許文献１の図１に記載されたサクソフォンは、吹込管とサクソフォンの本管との接続部にチューニング部材を備えている。吹込管は、一端にマウスピースが取付けられ、演奏者が息を吹き込むものである。吹込管の他端はサクソフォンの本管に嵌挿されている。この吹込管の本管への固定は、吹込管と本管との嵌合部を緊縛構造によって緊縛することにより行われる。
【０００３】
特許文献１の図１に開示されたサクソフォンの緊縛構造は、本管を囲むＣ字状のホルダー部材と、このホルダー部材の両端どうしの間隔を変えるねじ部材とによって構成されている。この緊縛構造によれば、ねじ部材を締め込むことによりホルダー部材の両端どうしの間隔が狭くなり、ホルダー部材が本管を介して吹込管を緊縛して吹込管が本管の固定される。
チューニング部材は、ホルダー部材の両端どうしの間に挟まれてホルダー部材に取付けられる差し込み部と、この差し込み部に接続されたウェイト部とによって構成されている。
【先行技術文献】
【特許文献】
【０００４】
【特許文献１】特開平１０−１１６０６７
【発明の概要】
【発明が解決しようとする課題】
【０００５】
特許文献１に開示されたサクソフォンで音色を変えるためには、吹込管を本管に固定するための緊縛構造を利用してチューニング部材を本管に取付けなければならない。このため、サクソフォンの音色を変えるためにチューニング部材の分だけ部品が増えるという問題があった。
【０００６】
本発明の目的は、部品を増やすことなく音色を変えることが可能なサクソフォンを提供することである。
【課題を解決するための手段】
【０００７】
この目的を達成するために本発明に係るサクソフォンは、マウスピースが上流側端部に取付けられた吹込管と、前記吹込管の下流側端部が上流側端部に嵌入した２番管と、前記２番管の前記上流側端部の外周部で前記吹込管の前記下流側端部を緊縛する緊縛構造とを備え、前記緊縛構造は、前記２番管の材料とは異なる材料によって形成されたねじ部材を有し、前記ねじ部材を締め込むことにより前記吹込管の前記下流側端部が緊縛される構成が採られているものである。
【０００８】
本発明は、前記サクソフォンにおいて、前記ねじ部材は、前記２番管の材料より硬度が高い材料によって形成されていてもよい。
【０００９】
本発明は、前記サクソフォンにおいて、前記ねじ部材は、雄ねじ部と、前記雄ねじ部の基端に一体に形成された摘み部とからなり、前記摘み部は、円柱状に形成され、外周部に滑り止めが設けられていてもよい。
【００１０】
本発明は、前記サクソフォンにおいて、前記ねじ部材を形成する材料はステンレス鋼であってもよい。
【００１１】
本発明は、前記サクソフォンにおいて、前記摘み部にはねじ孔が形成され、前記ねじ孔には調整用ねじが螺着されていてもよい。
【発明の効果】
【００１２】
本発明に係るサクソフォンにおいては、マウスピースに息を吹き込んだときに演奏者が受ける抵抗感が増加し、音の伝達性能が向上してサクソフォンの全体が良く響くようになる。このサクソフォンから生じる音は、芯があり、かつ明確でシャープな音になる。また、このサクソフォンによれば、切るべき音が明確に切れて音程の変化が明確になり、さらに、息の吹き込み方を変えたときに応答性よく追従するようになる。このように音色や響き方が変わる理由は、ねじ部材の材料が２番管の材料とは異なるために、緊縛構造のねじ部材が２番管と同じように振動することがないからであると考えられる。すなわち、２番管の振動がねじ部材の振動による干渉を受け難くなり、２番管が本来の性能で響くようになるから、上述したように抵抗感が増し、音の響きが向上すると考えられる。
ねじ部材は、吹込管を２番管に取付けるために用いる既存の部品である。したがって、本発明によれば、部品を増やすことなく音色が変わるサクソフォンを提供することができる。
【図面の簡単な説明】
【００１３】
【図１】本発明に係るサクソフォンの左側面図である。
【図２】要部の左側面図である。
【図３】要部の正面図である。
【図４】図２におけるIV−IV線断面図である。
【図５】図３におけるV−V線断面図である。
【図６】ねじ部材の他の実施の形態を示す断面図である。
【図７】複数の調整用ねじを併せて示す緊縛構造の断面図である。
【発明を実施するための形態】
【００１４】
（第１の実施の形態）
以下、本発明に係るサクソフォンの一実施の形態を図１〜図５を参照して詳細に説明する。
図１に示すサクソフォン１は、アルトサクソフォンで、マウスピース２を除く他の管部材が真鍮によって形成されたものである。他の管部材は、マウスピース２が上流側端部に取付けられた吹込管３と、この吹込管３の下流側端部が上流側端部に接続された２番管４と、この２番管４の下流側端部が上流側端部に接続されたＵ字状の１番管５と、この１番管５の下流側端部に接続されたベル６などである。これらの管部材には＃１〜＃２５番トーンホールと、これらの＃１〜＃２５番トーンホールを開閉するキー１１〜３５などが設けられている。図１はキー１１〜３５を操作するための操作機構や操作系の部品を省略して描いてある。
【００１５】
吹込管３の下流側端部は、２番管４の上流側端部に設けられた緊縛構造４１によって２番管４に着脱可能に取付けられている。吹込管３の下流側端部は、図５に示すように、吹込管３の下流端３ａを含む円筒４２と、この円筒４２より大径に形成されて円筒４２の上流端に接続されたリング４３とによって構成されている。円筒４２とリング４３は、吹込管３の他の部位と一体に形成されている。
円筒４２は、図４および図５に示すように、後述する緊縛構造４１の筒体４４の中に着脱自在に嵌合する形状に形成されている。
【００１６】
緊縛構造４１は、図２〜図４に示すように、２番管４の上流側端部に一端部が接続された筒体４４と、この筒体４４の他端部に螺着されたねじ部材４５とによって構成されている。
筒体４４の一端部は、図５に示すように、２番管４の上流側端部に嵌合し、はんだ付けによって固定されている。このため、筒体４４は、実質的に２番管４の上流側端部の一部になる。
【００１７】
筒体４４の他端部には、筒体４４の他の部位より厚みが厚く形成された断面Ｃ字状（図４参照）のベルト部４６と、第１および第２の締結片４７，４８とが設けられている。これらの第１の締結片４７と第２の締結片４８は、筒体４４の周方向の一部に設けられ、ベルト部４６から径方向の外側に突出している。ベルト部４６と第１および第２の締結片４７，４８とを含めて筒体４４は、真鍮によって形成されている。
【００１８】
第１の締結片４７と第２の締結片４８との間には、いわゆるすり割りとなるスリット５１が形成されている。スリット５１は、筒体４４の内外を連通するように筒体４４の他端部に形成されている。
第１の締結片４７と第２の締結片４８とのうち図４において左側に位置する第１の締結片４７には、ねじ部材４５の雄ねじ部４５ａが貫通する貫通孔５２が穿設されている。第２の締結片４８には、ねじ部材４５の雄ねじ部４５ａが螺着するねじ孔５３が形成されている。
【００１９】
ねじ部材４５は、図４に示すように、第１の締結片４７を貫通して第２の締結片４８に螺着された雄ねじ部４５ａと、この雄ねじ部４５ａの基端（図４においては左端）に一体に形成された摘み部４５ｂとによって構成されている。このねじ部材４５の材料は、２番管４や筒体４４の材料とは異なる材料である。この実施の形態によるねじ部材４５は、ステンレス鋼によって形成されている。このねじ部材４５をステンレス鋼で形成するにあたっては、加工性に優れるＳＵＳ３０３が用いられている。なお、ねじ部材４５を形成する材料は、ステンレス鋼に限定されることはなく、洋白、銀、銅、鉄などでもよい。これらの金属材料は、いずれも２番管４の材料（真鍮）より硬度が高い材料である。
【００２０】
摘み部４５ｂは、円柱状に形成され、外周部にローレットからなる滑り止め５４が設けられている。
摘み部４５ｂの軸線方向の長さと外径は、材料に応じて変更される。すなわち、摘み部４５ｂの重量が予め定めた所定の重量となるように、摘み部４５ｂの軸線方向の長さと外径が決められる。摘み部４５ｂの重量は、従来の真鍮製のねじ部材の摘み部より重い。従来の真鍮製のねじ部材は、特許文献１の図２に描かれているように、板状の摘み部を有しているものが多い。この板状の摘み部は、重量が軽く、振動し易いものである。
【００２１】
このように構成された緊縛構造４１を備えたサクソフォン１において、２番管４に吹込管３を取付けるためには、先ず、２番管４の上流側端部に設けられている筒体４４に吹込管３の円筒４２を挿入する。そして、吹込管３の上流端が所望の位置に位置付けられるように、２番管４の周方向において吹込管３の位置を決める。その後、ねじ部材４５を締め込んで吹込管３を２番管４の上流側端部（筒体４４）に固定する。
【００２２】
この締め込み作業は、演奏者が摘み部４５ｂを指で持って回すことによって行われる。ねじ部材４５が締め込まれることにより、第１の締結片４７と第２の締結片４８との間隔が狭くなり、２番管４の上流側端部で吹込管３の円筒４２（下流側端部）が緊縛される。
緊縛構造４１のねじ部材４５は、２番管４の材料とは異なる材料によって形成されている。このサクソフォン１においては、ねじ部材４５の材料が２番管４の材料とは異なっているから、ねじ部材４５が２番管４と同じように振動することはないと考えられる。このため、２番管４の振動がねじ部材４５の振動による干渉を受け難くなり、２番管４が本来の性能で響くようになると考えられる。
【００２３】
このようなねじ部材４５を備えたサクソフォン１は、マウスピース２に息を吹き込んだときに演奏者が受ける抵抗感が増加し、音の伝達性能が向上してサクソフォン１の全体が良く響くようになる。このサクソフォン１から生じる音は、芯があり、かつ明確でシャープな音になる。また、このサクソフォン１によれば、切るべき音が明確に切れて音程の変化が明確になり、さらに、息の吹き込み方を変えたときに応答性よく追従するようになる。
【００２４】
ねじ部材４５は、吹込管３を２番管４に取付けるために使用する既存の部品である。したがって、この実施の形態によれば、部品数を増やすことなく音色が変わるサクソフォンを提供することができる。
【００２５】
この実施の形態によるねじ部材４５は、２番管４の材料より硬度が高い材料によって形成されている。このため、ねじ部材４５が相対的に歪み難くなるために吹込管３が２番管４（筒体４４）によって強く緊縛され、２番管４の振動に好影響を及ぼすと考えられる。この実施の形態を採ることにより、このサクソフォン１から出る音の輪郭がより一層明確になる。
【００２６】
この実施の形態によるねじ部材４５は、雄ねじ部４５ａと、雄ねじ部４５ａの基端に一体に形成された摘み部４５ｂとによって構成されている。摘み部４５ｂは、円柱状に形成され、外周部に滑り止め５４が設けられている。
このため、ねじ部材４５を締め込む際の回転性がよいから、ねじ部材４５を正確に締め込むことができる。したがって、ねじ部材４５の締め込み量が吹込管３の装着毎に略一定になるから、安定した音が発生するサクソフォンを提供することができる。
ところで、従来の真鍮製のねじ部材は、板状の摘み部を有しているから、小さくて締め難いという問題があった。しかし、この実施の形態によるねじ部材４５は、円柱状の摘み部４５ｂを有しているから、従来と較べて締付が容易である。
【００２７】
この実施の形態によるねじ部材４５を形成する材料はステンレス鋼である。このステンレス鋼製のねじ部材４５を使用したサクソフォン１においては、ねじ部材４５が真鍮で形成されている場合と較べると、息を吹き込んだときの抵抗感が良好で、音もはっきりとした切れの良い音となることが分かった。
【００２８】
（第２の実施の形態）
ねじ部材は図６および図７に示すように構成することができる。図６および図７において、図１〜図５によって説明したものと同一もしくは同等の部材については、同一符号を付し詳細な説明を適宜省略する。
【００２９】
図６に示すねじ部材４５の摘み部４５ｂは、雄ねじ部４５ａとは反対側の端部にねじ孔６１が形成されている。
このねじ孔６１には調整用ねじ６２が螺着されている。この調整用ねじ６２は、ねじ部材４５の実質的な重量を変更するためのものである。調整用ねじ６２は、ねじ孔６２に螺着された雄ねじ部６２ａと、この雄ねじ部６２ａの基端に一体に形成された円板状の摘み部６２ｂとによって構成されている。摘み部６２ｂの外周部には、ローレットからなる滑り止め６３が設けられている。
【００３０】
調整用ねじ６２を形成する材料は、ねじ部材４５と同様に、２番管４や筒体４４の材料とは異なる材料である。この実施の形態による調整用ねじ６２は、ねじ部材４５と同一のステンレス鋼によって形成されている。なお、調整用ねじ６２を形成する材料は、ステンレス鋼に限定されることはなく、洋白、銀、銅、鉄などでもよい。
【００３１】
調整用ねじ６２を使用してねじ部材４５の実質的な重量を変えるためには、重量の異なる複数の調整用ねじ６２を予め用意しておき、これらの調整用ねじ６２の中から一つを選んでねじ部材４５に取付けることにより実施することができる。
調整用ねじ６２の重量を変えるためには、摘み部６２ｂの外径と軸線方向の厚みとのうち、少なくともいずれか一方を変えることにより行うことができる。図７には、重量が相対的に軽い調整用ねじ６２Ａと、重量が相対的に重い調整用ねじ６２Ｂとが図示されている。
【００３２】
重量が相対的に軽い調整用ねじ６２Ａの摘み部６２ｂの外径Ｄ１は、重量が相対的に重い調整用ねじ６２Ｂの摘み部６２ｂの外径Ｄ２より小さい。また、重量が相対的に軽い調整用ねじ６２Ａの摘み部６２ｂの厚みＴ１は、重量が相対的に重い調整用ねじ６２Ｂの摘み部６２ｂの厚みＴ２より薄い。
【００３３】
ねじ部材４５の重量と、調整用ねじ６２との重量との総和からなる総重量は、サクソフォン１の音響特性に影響を与える。このため、例えば調整用ねじ６２をサクソフォン１の機種に応じて変えることにより、サクソフォン１の各機種において最良の音響特性が得られるようになる。詳述すると、全ての機種において共通のねじ部材４５を使用しながら、機種毎の音響特性が最良になるような調整用ねじ６２を使用する。ここでいうサクソフォン１の機種とは、ソプラノサクソフォン、アルトサクソフォン、テナーサクソフォン、バリトンサクソフォンなどである。
【００３４】
これらの全ての機種においてねじ部材４５を共通にすることにより、ねじ部材４５の種類が少なくなって製造コストを低く抑えることができ、ねじ部材４５を安価に提供することが可能になる。調整用ねじ６２は、このように機種毎に変える他に、同一機種であっても演奏者の好みの音が生じるように他の調整用ねじ６２と変えることもできる。
【符号の説明】
【００３５】
１…サクソフォン、２…マウスピース、３…吹込管、４…２番管、４１…緊縛構造、４５…ねじ部材、４５ａ…雄ねじ部、４５ｂ…摘み部、５４…滑り止め、６１…ねじ孔、６２…調整用ねじ。
【図１】
2020064178.tif 000003
【図２】
2020064178.tif 000004
【図３】
2020064178.tif 000005
【図４】
2020064178.tif 000006
【図５】
2020064178.tif 000007
【図６】
2020064178.tif 000008
【図７】
2020064178.tif 000009